(57)【要約】      （修正有）【課題】使用者に熱中症の兆候が現れた際にそれを周囲に知らせることができる熱中症予防装置と熱中症予防ヘルメットを提供する。【解決手段】熱中症予防ヘルメット１は、頭部装着具としてのヘルメット１０と、このヘルメット１０に装着された熱中症予防装置２とを備えている。熱中症予防装置２は、帽体１１の内側に配置されるセンサ部３と、帽体１１の外側に配置される発光部４と、帽体１１の外側に配置される装置本体５と、を備えている。操作ボタンが押圧されて装置本体５の電源がＯＮされると、制御部５４は、センサ部３に体表面温度及び心拍数の計測開始を命令する。制御部５４は、センサ部３から得られた測定値が所定値以上であるか否かを判定し、所定値以上である場合に発光部４を発光させる。センサ部３から得られた測定値が所定値以上でない場合は、制御部５４は、所定時間の経過を経て、再度、センサ部３に計測の開始を命令する。【選択図】図１
0003225578.tif 000002
【実用新案登録請求の範囲】
【請求項１】
人体の頭部に装着される頭部装着具に設けられる熱中症予防装置であって、
前記人体に接触して体表面温度を測定する温度センサと、
前記人体に接触して心拍数を測定する心拍センサと、
前記頭部装着具の外側に配置される発光部と、
前記温度センサ及び前記心拍センサから得られた測定値が所定の基準を満たしているか否かを判定し、満たしている場合に前記発光部を発光させる制御部と、を備えている
ことを特徴とする熱中症予防装置。
【請求項２】
前記温度センサ、前記心拍センサ、前記発光部、前記制御部が、前記頭部装着具と別体で形成されており、前記頭部装着具に着脱可能に形成されている
ことを特徴とする請求項１に記載の熱中症予防装置。
【請求項３】
請求項１に記載の熱中症予防装置と、前記頭部装着具としてのヘルメットと、を備え、
前記発光部と前記制御部が前記ヘルメットと一体で形成されている
ことを特徴とする熱中症予防ヘルメット。
【考案の詳細な説明】
【技術分野】
【０００１】
本考案は、頭部装着具に設けられる熱中症予防装置、及び、該熱中症予防装置が一体化されたヘルメットに関するものである。
【背景技術】
【０００２】
従来、夏季の屋外活動時における熱中症対策として、ヘルメットや帽子に設けたファン等の冷却手段により頭部を冷却する技術が公知である（例えば特許文献１を参照）。
【先行技術文献】
【特許文献】
【０００３】
【特許文献１】特開２００３−０４９３１７号公報
【考案の概要】
【考案が解決しようとする課題】
【０００４】
ところで、建設現場等においては、熱中症の兆候が現れ、本人がそれを自覚していたとしても、周囲に対する遠慮から無理をしてしまい、熱中症になってしまうことがある。また、熱中症の兆候を自覚し難い高齢者や、自身の状態をうまく伝えられない幼児などは、熱中症になるリスクが高い。
【０００５】
そこで、本考案は、使用者に熱中症の兆候が現れた際にそれを周囲に知らせることができる熱中症予防装置及び熱中症予防ヘルメットを提供することを課題とする。
【課題を解決するための手段】
【０００６】
本考案は、人体の頭部に装着される頭部装着具に設けられる熱中症予防装置であって、前記人体に接触して体表面温度を測定する温度センサと、前記人体に接触して心拍数を測定する心拍センサと、前記頭部装着具の外側に配置される発光部と、前記温度センサ及び前記心拍センサから得られた測定値が所定の基準を満たしているか否かを判定し、満たしている場合に前記発光部を発光させる制御部と、を備えていることを特徴とする。
【考案の効果】
【０００７】
本考案によれば、使用者に熱中症の兆候が現れた際に光で警告を発することで、周囲の人に使用者の熱中症の兆候を知らせることができ、熱中症を予防できる。
【図面の簡単な説明】
【０００８】
【図１】本考案の第１実施形態にかかる熱中症予防装置が設けられた熱中症予防ヘルメットの側面図である。
【図２】図１の熱中症予防ヘルメットの背面図である。
【図３】図１の熱中症予防装置を構成するセンサ部の正面図である。
【図４】図１の熱中症予防装置の構成ブロック図である。
【図５】図４の制御部が実行するプログラムのフローチャートである。
【図６】本考案の第２実施形態にかかる熱中症予防装置が設けられた熱中症予防ヘルメットの斜視図である。
【図７】図６の熱中症予防ヘルメットを反対側からみた斜視図である。
【考案を実施するための形態】
【０００９】
本考案の第１実施形態にかかる「熱中症予防装置」を、図１〜５を参照して説明する。
【００１０】
図１に示す熱中症予防ヘルメット１は、頭部装着具としてのヘルメット１０と、このヘルメット１０に装着された熱中症予防装置２と、を備えている。
【００１１】
ヘルメット１０は、各種作業現場で従来から使用されている周知のものであり、帽体１１と、帽体１１の内側に設けられたライナー、ハンモック、ヘッドバンドと、顎紐１２と、を備えている。帽体１１の前部にはツバ１１ａが設けられている。
【００１２】
熱中症予防装置２は、帽体１１の内側に配置されるセンサ部３と、帽体１１の外側に配置される発光部４と、帽体１１の外側に配置される装置本体５と、を備えている。センサ部３と装置本体５は、不図示の電線で接続されている。同様に、発光部４と装置本体５は、不図示の電線で接続されている。
【００１３】
センサ部３は、図３に示すように、頭部に接触して体表面温度を測定する温度センサ３３と、頭部に接触して心拍数を測定する心拍センサ３４と、これらセンサ３３，３４を保持したプレート３１と、プレート３１の裏側に設けられたフック３２と、を備えている。センサ部３は、ヘルメット１０に対して着脱可能であり、例えば、フック３２がハンモック又はヘッドバンドに引っ掛けられることでヘルメット１０に取り付けられる。そして、使用者が熱中症予防ヘルメット１を装着することで、センサ３３，３４が使用者の額に接触する。
【００１４】
発光部４は、図１に示すように、発光素子（例えばＬＥＤ）４１と、第１フック４２と、第２フック４３と、を備えている。発光部４は、ヘルメット１０に対して着脱可能であり、第１フック４２がツバ１１ａに引っ掛けられ、第２フック４３が帽体１１の縁に引っ掛けられることでヘルメット１０に取り付けられる。この状態で、発光素子４１がツバ１１ａの上面に配置されており、発光時にはその光が使用者の周囲の人に視認されるようになっている。
【００１５】
装置本体５は、図１，２，４に示すように、ケース５１と、ケース５１の下端に設けられたフック５２と、ケース５１の外面に配置されたＬＣＤ５３と、ケース５１内に収容された制御部５４及び電源部（例えば二次電池）５５と、各種操作ボタンと、を備えている。装置本体５は、ヘルメット１０に対して着脱可能であり、フック５２が帽体１１の縁に引っ掛けられることでヘルメット１０に取り付けられる。
【００１６】
図５は、制御部５４が実行するプログラムのフローチャートである。図５に示すように、操作ボタンが押圧されて装置本体５の電源がＯＮされると、制御部５４は、温度センサ３３と心拍センサ３４に計測の開始を命令する。制御部５４は、これらセンサ３３，３４から得られた測定値が所定値以上であるか否かを判定し、所定値以上である場合に発光部４を発光させる。センサ３３，３４から得られた測定値が所定値以上でない場合は、制御部５４は、所定時間の経過を経て、再度、温度センサ３３と心拍センサ３４に計測の開始を命令する。
【００１７】
なお、制御部５４は、上述した所定閾値以上による判定のみならず、体表面温度及び心拍数の変化の度合、体表面温度及び心拍数の値の推移等によって判定してもよい。
【００１８】
上記熱中症予防装置２を備えた熱中症予防ヘルメット１によれば、使用者の体表面温度と心拍数が所定値以上となり熱中症の兆候が現れた際に光で警告を発することで、周囲の人に使用者の熱中症の兆候を知らせることができ、熱中症を予防できる。
【００１９】
本考案の第２実施形態にかかる「熱中症予防装置」及び「熱中症予防ヘルメット」を、図６，７を参照して説明する。図６，７において、前述した第１実施形態と同一構成部分には同一符号を付して説明を省略する。
【００２０】
図６，７に示す熱中症予防ヘルメット１０１は、頭部装着具としてのヘルメット１１０と、熱中症予防装置１０２と、を備えている。
【００２１】
ヘルメット１１０は、第１実施形態と同様に、帽体１１と、帽体１１の内側に設けられたライナー、ハンモック、ヘッドバンドと、顎紐１２と、を備えている。
【００２２】
熱中症予防装置１０２は、帽体１１の内側に配置されるセンサ部３と、帽体１１の外面に形成された発光部１０４と、帽体１１に形成された装置本体１０５と、を備えている。センサ部３は、第１実施形態と同様に、帽体１１と別体で形成されており、ハンモック又はヘッドバンドに引っ掛けられることでヘルメット１１０に取り付けられる。発光部１０４と装置本体１０５は、ヘルメット１１０と一体で形成されている。
【００２３】
発光部１０４は、複数の発光素子と、発光素子よりも外側（使用者の頭部から離れた側）に配置された導光部材と、で構成されている。この導光部材は、使用者の一方のこめかみ付近から後頭部付近を通って他方のこめかみ付近に達する線状に形成されている。発光素子に通電が行われると、導光部材全体が発光し、ライン状に光って見える。
【００２４】
装置本体１０５は、帽体１１の外面に配置されたＬＣＤ５３及び各種操作ボタンと、帽体１１に内蔵された制御部５４及び電源部５５と、を備えている。制御部５４は、第１実施形態と同じく、操作ボタンが押圧されて装置本体１０５の電源がＯＮされると、センサ部３に体表面温度及び心拍数の計測開始を命令する。制御部５４は、センサ部３から得られた測定値が所定値以上であるか否かを判定し、所定値以上である場合に発光部１０４を発光させる。センサ部３から得られた測定値が所定値以上でない場合は、制御部５４は、所定時間の経過を経て、再度、センサ部３に計測の開始を命令する。
【００２５】
上記熱中症予防装置１０２を備えた熱中症予防ヘルメット１０１によれば、使用者の体表面温度と心拍数が所定値以上となり熱中症の兆候が現れた際に光で警告を発することで、周囲の人に使用者の熱中症の兆候を知らせることができ、熱中症を予防できる。
【００２６】
上述した実施形態では、熱中症の兆候が現れた際に光で警告を発する構成であったが、これに加えて、光と音で警告を発する構成としてもよい。さらに、光で警告を発した上で、熱中症の兆候が現れたことを管理者端末等に無線送信する構成としてもよい。
【００２７】
また、本考案の熱中症予防装置は、上記構成に加え、加速度センサを備えていてもよい。この加速度センサは、例えば、図３のプレート３１に保持される構成とすることができる。この加速度センサを備えることにより、使用者が転倒した場合や、使用者に何かが衝突した場合、そのことを検出することができる。
【００２８】
また、本考案の熱中症予防装置は、上記構成に加え、腕などに装着するバイタル製品から危険信号を読み取って、上記発光部によって警告を発する構成としてもよい。
【００２９】
上述した実施形態では、「頭部装着具」として、ヘルメットを例にあげて説明したが、本考案における「頭部装着具」とは、ヘルメットに限定されず、帽子、頭巾、着ぐるみ、サンバイザー等も含まれる。
【００３０】
上述した実施形態では、温度センサと心拍センサが使用者の額に接触する構成であったが、本考案ではこれに限らず、温度センサと心拍センサが腕などの額以外に接触する構成であってもよい。例えば、温度センサと心拍センサが腕時計のバンドに取り付けられる構成であってもよい。
【００３１】
上記実施形態は本考案の代表的な形態を示したに過ぎず、本考案は、当該実施形態に限定されるものではない。即ち、当業者は、従来公知の知見に従い、本考案の骨子を逸脱しない範囲で種々変形して実施することができる。かかる変形によってもなお本考案の構成を具備する限り、勿論、本考案の範疇に含まれるものである。
【符号の説明】
【００３２】
１，１０１    熱中症予防ヘルメット
２，１０２    熱中症予防装置
４，１０４    発光部
１０，１１０    ヘルメット（頭部装着具）
３３    温度センサ
３４    心拍センサ
５４    制御部
【図１】
0003225578.tif 000003
【図２】
0003225578.tif 000004
【図３】
0003225578.tif 000005
【図４】
0003225578.tif 000006
【図５】
0003225578.tif 000007
【図６】
0003225578.tif 000008
【図７】
0003225578.tif 000009